(57)【要約】【課題】光束立ち上がりのよい電球形蛍光ランプを提供する。【解決手段】ガラスバルブに細管が封止され、前記細管内にアマルガムが設置され、電極部のフィラメントを支持するリード線の少なくとも一方に補助アマルガムが設置されている電球形蛍光ランプであって、前記補助アマルガムは、その先端部分がフィラメントから１．５ｍｍ程度に近づけられ、他端は４．０ｍｍ以上離してリード線に固定する。【選択図】図２
2004152714.tif 000002
【特許請求の範囲】
【請求項１】
発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に平板形状の補助アマルガムが設置され、前記ガラスバルブには細管が封止され、前記細管内にアマルガムが設置されている電球形蛍光ランプであって、前記補助アマルガムの平面形状は長方形であり、長方形の長辺側一端をリード線に固定し、長辺側の他端側がその固定部よりも電極フィラメントに近接するようにその部材が設けられていることを特徴とするコンパクト形蛍光ランプ。
【請求項２】
発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に補助アマルガムが設置され、前記ガラスバルブには細管が封止され、前記細管内にアマルガムが設置されている電球形蛍光ランプであって、前記補助アマルガムの先端とフィラメントとの間隔を０．０１〜２．０ｍｍ、望ましくは０．０１〜１．５ｍｍにすることを特徴とするコンパクト形蛍光ランプ。
【請求項３】
発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に補助アマルガムが設置され、前記ガラスバルブには細管が封止され、前記細管内にアマルガムが設置されている電球形蛍光ランプであって、前記補助アマルガムとリード線の接する間隔を３．５ｍｍから６．０ｍｍまで、望ましくは４．０ｍｍから６．０ｍｍまでにすることを特徴とするコンパクト形蛍光ランプ。
【請求項４】
発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に補助アマルガムが設置され、前記ガラスバルブには細管が封止され、前記細管内にアマルガムが設置されている電球形蛍光ランプであって、前記補助アマルガムをＬ字またはくの字形状とし、一端をフィラメントに近接させて設けることを特徴とするコンパクト形蛍光ランプ。
【請求項５】
発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に補助アマルガムが設置され、前記ガラスバルブには細管が封止され、前記細管内にアマルガムが設置されている電球形蛍光ランプであって、前記補助アマルガムはメッシュ等を折り曲げて、一端をフィラメントに近接させて設けることを特徴とするコンパクト形蛍光ランプ。
【発明の詳細な説明】
【０００１】
【発明の属する技術分野】
本発明はコンパクト形蛍光ランプに関し、特に管内の水銀蒸気圧をアマルガムによって制御するコンパクト形蛍光ランプに関する。
【０００２】
【従来の技術】
一般に使用されている直管形または環形蛍光ランプにおいては、金属水銀を封入したとき周囲温度で最適水銀蒸気圧となる。ところが、コンパクト形蛍光ランプでは発光管がガラスグローブや樹脂製ケース等の外囲器内に収容されているため、発光管の管壁温度が上昇し、金属水銀を封入すると水銀蒸気圧が高くなり、光束が低下する。このため、電球形蛍光ランプでは高温下で水銀蒸気圧を最適に制御するためにアマルガムが使用されている。
【０００３】
ところが、アマルガムは始動時に水銀の蒸気圧が低く、光束立ち上がりが悪くなるという問題が発生する。
【０００４】
このような不具合を防止し得る従来技術として、特開昭６０−２１８７５８号公報に示される技術がある。これは、定常点灯時での水銀蒸気圧を制御する主アマルガムの他に、消灯時に管内の浮遊水銀を吸着し、かつ始動時を含む点灯初期に上記吸着した水銀を放出する少量の補助アマルガムを電極近傍に設置することで、フィラメントからの熱で水銀を放出させ、光束立ち上がりをよくするものである。
【０００５】
【発明が解決しようとする課題】
以上のように、従来の電球形蛍光ランプは、電極を支持するリード線の一方に補助アマルガムを溶接しているが、補助アマルガムがフィラメントに近いと、点灯中に電極からのスパッタ物質で汚染され、補助アマルガムの効果が低下し、短時間で立ち上がりが悪くなる。逆に、上記補助アマルガムの位置が電極から離れすぎていると、補助アマルガムの温度が上がらず水銀が放出され難いので、始動時の光束立ち上がり時間が長くなり、なかなか明るくならない。
【０００６】
また、補助アマルガムの体積が大きいと、熱容量が大きくて温度上昇が遅く立ち上がり特性が悪い等の問題があった。
【０００７】
本発明の目的は上述した課題を解決するためになされたもので、簡単な構造で電極からのスパッタ物質による補助アマルガムの汚染を防止し、かつ点灯直後の補助アマルガムの温度上昇を早めることにより光束の立ち上がりを早めることができるコンパクト形蛍光ランプを提供することにある。
【０００８】
【課題を解決するための手段】
上記目的を達成するために本発明においては、（１）発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に補助アマルガムが設置され、前記ガラスバルブには細管が封止され、前記細管内にアマルガムが設置されている電球形蛍光ランプであって、前記補助アマルガムは平面形状であって、その平面形状が長方形で、長方形の長辺側一端をリード線に固定し、長辺側の他端側がその固定部よりも電極フィラメントに近接するようにその部材が設けられていることで達成される。
【０００９】
（２）発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に平板形状の補助アマルガムが設置され、前記ガラスバルブには細管が封止され、前記細管内にアマルガムが設置されている電球形蛍光ランプであって、前記補助アマルガムの先端とフィラメントとの最小間隔を０．０１〜２．０ｍｍ、望ましくは０．０１〜１．５ｍｍにすることで達成される。
【００１０】
（３）発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に平板形状の補助アマルガムが設置され、前記ガラスバルブには細管が封止され、前記細管内にアマルガムが設置されている電球形蛍光ランプであって、前記補助アマルガムのリード線への固定位置とリード線との最小間隔を３．５ｍｍから６．０ｍｍまで、望ましくは４．０ｍｍから６．０ｍｍまでにすることで達成される。
【００１１】
（４）発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に平板形状の補助アマルガムが設置され、前記ガラスバルブには細管が封止され、前記細管内にアマルガムが設置されている電球形蛍光ランプであって、前記補助アマルガムの平板形状をＬ字またはくの字形状とし、その一端をリード線に固定し、他端がリード線に近接するように固定することで達成される。他端側のリード線と補助アマルガムとの最小間隔は０．０１〜１．５ｍｍであることが好ましい。
【００１２】
（５）発光管が１つのガラスバルブまたは複数の連通したガラスバルブから構成され、前記ガラスバルブの両端は封止され、前記ガラスバルブの両端部には電極が設置され、前記電極部のフィラメントを支持するリード線の少なくとも一方に補助アマルガムが設置され、前記ガラスバルブには細管が封止され、前記細管内にアマルガムが設置されている電球形蛍光ランプであって、前記補助アマルガムはメッシュ等を折り曲げて、一端をフィラメントに近接させて設けることで達成される。
【００１３】
【発明の実施の形態】
図１は、本発明の一実施例による電球形蛍光ランプ１の縦断面図を示したものである。本実施例の電球形蛍光ランプ１は図示のように、光拡散性または透光性を有する略球状のグローブ２、樹脂製のカバー３、口金４、発光管５、発光管５の駆動用回路６、発光管５と前記駆動回路６を固定する樹脂製のホルダー７等が備えられたものとなっている。
【００１４】
これらの構成要素のうち、発光管５は複数の略Ｕ字形状のガラスバルブ８が複数の連通管部（図示せず）により接続されており、その両端には１対の電極（フィラメント）９（一方の電極は図示せず）が設けられている。ガラスバルブ８は端部で気密封止されており、補助アマルガム１０または、排気用または主アマルガム保持用の細管１２が設けられている。上記細管の少なくとも１つには、主アマルガム１１が設けられている。
【００１５】
図２（ａ）ないし図２（ｃ）は、ガラスバルブの一方の端部の断面図である。
【００１６】
図２（ａ）において、発光管５には一対の電極を有し、電極はフィラメント９とそれを支持するリード線１３、１４からなる。リード線１３にはステンレスメッシュにインジウムをメッキした補助アマルガム１０が斜めに溶接されている。補助アマルガム１０の一端とフィラメント９までの間隔Ｌ１は約１．５ｍｍになるように構成されている。また、補助アマルガム１０とリード線１３の接する部分からフィラメントコイル９までの間隔Ｌ２が約４．０ｍｍになるように溶接する。
【００１７】
図２（ｂ）は、補助アマルガムの他の実施例である。補助アマルガム１０はＬ字形状とし、その一端を前記と同様にＬ１が約１．５ｍｍになるようにし、補助アマルガムの他端を、やはりＬ２が約４．０ｍｍになるようにリード線１３に溶接する。
【００１８】
図２（ｃ）は、補助アマルガムの他の実施例である。補助アマルガム１０はメッシュ状とし、メッシュ状補助アマルガムを折り曲げることによりその一端を前記と同様にＬ１が約１．５ｍｍになるよう位置させる。他端はやはりＬ２が約４．０ｍｍになるようにリード線１３に溶接する。
【００１９】
さて、その電球形蛍光ランプ１での本発明による補助アマルガムの特徴について説明すれば、以下のとおりである。
【００２０】
すなわち、補助アマルガム１０の一端とフィラメント９までの間隔Ｌ１を約１．５ｍｍに設置することで、始動時において電極への通電によるフィラメント加熱で補助アマルガム１０の温度が急激に上昇し、補助アマルガム１０に付着している水銀がすぐ放出され、点灯と同時に明るく光る。
【００２１】
表１は平面形状の長方形で、長方形の一方の短辺側をリード線に平行に固定した前記補助アマルガムに関して、電極フィラメントと補助アマルガムの距離による点灯３秒後の光束の割合の変化を示す。これはフィラメント９と補助アマルガム１０の間の距離を短くすることで、点灯直後瞬時に明るくなることを示している。
【００２２】
従って、フィラメント−補助アマルガム間距離を１．５ｍｍにすると都合がよい。しかし、フィラメント−補助アマルガム間距離が０．０１ｍｍ以下であると、前記補助アマルガムの先端とフィラメントが接触する恐れがあり、２．０ｍｍ以上であると温度上昇の効果はかなり低減される。
【００２３】
また、点灯（放電）中、負グローは電極の周囲３．０ｍｍ程度の範囲まで形成される。この領域はイオンや電子のエネルギが大きく、電極からのスパッタ物質が多い。このため、この範囲にある補助アマルガムは次第に変質したり汚染される。しかし補助アマルガム１０とリード線１３の接する部分からフィラメントコイル９までの間隔Ｌ２が約４．０ｍｍになるように溶接しているのでこの変質や汚染が軽減され、補助アマルガムの効果が長時間維持できる。
【００２４】
【表１】
2004152714.tif 000003
【発明の効果】
以上、説明したように、本発明の電球形蛍光ランプによれば、始動時、補助アマルガムの一端がフィラメントの近くにあるので水銀がすぐ放出され、点灯初めから明るく光る。また、他端はフィラメントから離れた部分を有しているので電極からのスパッタ物質が付着せず、変質や汚染が少ないため、補助アマルガムの効果が長時間維持できる。
【００２５】
このことから、寿命末期まで光束立ち上がりのよい電球形蛍光ランプが得られる。
【図面の簡単な説明】
【図１】本発明の一実施例による電球形蛍光ランプの縦断面図。
【図２】本発明の実施例による補助アマルガムの取付態様を示す発光管端部の縦断面図
。
【符号の説明】
１…コンパクト形蛍光ランプ、２…略球状グローブ、３…樹脂製カバー、４…口金、５…発光管、６…駆動用回路、７…ホルダー、８…ガラスバルブ、９…電極、１０…補助アマルガム、１１…主アマルガム、１２…細管、１３…リード線、１４…リード線。
【図１】
2004152714.tif 000004
【図２】
2004152714.tif 000005